(57)【要約】【課題】  包んだ直後から表面の商品供給元を示す情報が視認可能であるとともに、印字面が平らに形成された包装紙一体型配送伝票を提供する。【解決手段】  表面側に所定の情報がそれぞれ印刷された配達票２ａと貼付票２ｂを有し、配達票２ａと貼付票２ｂ以外の部分には、商品供給元を示す情報が印刷されている伝票基材２と、伝票基材２の裏面側に配達票２ａを覆うように貼り合わされ、伝票基材２より面積の小さい支持基材６と、を有し、伝票基材２と支持基材６は、配達票２ａ部分においては、剥離可能な擬似接着層（３、４）を介して接着され、配達票２ａ以外の部分においては、剥離困難な接着剤層４を介して接着されている。【選択図】  図１
2015058584.tif 000002
【特許請求の範囲】
【請求項１】
少なくとも配達票と貼付票を包装紙と一体化した配送伝票であって、
表面側に所定の情報がそれぞれ印刷された配達票と貼付票を有し、前記配達票と貼付票以外の部分に、商品供給元を示す情報を表示するための領域を有する伝票基材と、
前記伝票基材の裏面側に前記配達票を覆うように貼り合わされ、前記伝票基材より面積の小さい支持基材と、を有し、
前記伝票基材と前記支持基材は、前記配達票部分においては、剥離可能な擬似接着層を介して接着され、前記配達票以外の部分においては、剥離困難な接着剤層を介して接着されていることを特徴とする包装紙一体型配送伝票。
【請求項２】
前記商品供給元を示す情報を表示するための領域には、商品供給元を示す情報が印刷されていることを特徴とする請求項１に記載の包装紙一体型配送伝票。
【請求項３】
前記支持基材は、さらに前記貼付票を覆うように貼り合わされていることを特徴とする請求項１または請求項２に記載の包装紙一体型配送伝票。
【請求項４】
前記支持基材は、前記伝票基材の天地方向に渡って貼り合わされていることを特徴とする請求項１から請求項３のいずれか一項に記載の包装紙一体型配送伝票。
【請求項５】
前記支持基材は、前記伝票基材と同一サイズであることを特徴とする請求項１から請求項４のいずれか一項に記載の包装紙一体型配送伝票。
【請求項６】
少なくとも配達票と貼付票を包装紙と一体化した配送伝票であって、
表面側に所定の情報がそれぞれ印刷された配達票と貼付票を有する伝票基材と、
前記伝票基材と重ねて貼り合わされ、前記伝票基材より面積が大きく、前記伝票基材と重ならない部分に、商品供給元を示す情報を表示するための領域を有する支持基材と、を有し、
前記伝票基材と前記支持基材は、前記配達票部分においては、剥離可能な擬似接着層を介して接着され、前記配達票以外の部分においては、剥離困難な接着剤層を介して接着されていることを特徴とする包装紙一体型配送伝票。
【請求項７】
前記伝票基材には、前記配達票を囲む部分に、前記伝票基材を貫通するハーフカットが形成されていることを特徴とする請求項１から請求項６のいずれか一項に記載の包装紙一体型配送伝票。
【発明の詳細な説明】
【技術分野】
【０００１】
本発明は、宅配荷物や配送商品を配送業者が配送する際に、配送物に貼付して使用する配送伝票に関する。
【背景技術】
【０００２】
近年、一枚の伝票用紙上に複数種類の伝票を配列させて、各伝票を同時にプリンタ印字したものを組とする１パート形式の配送伝票（以下、１パート配送伝票という）が多く利用されるようになってきている。
【０００３】
その代表的な１パート配送伝票は、剥離紙、粘着剤層、タック基材の順に積層されてなるタックシートの粘着剤層の形成された面（タックシート裏面）と反対側の面（タックシート表面）に接着剤層を介して配達票と貼付票とを面状に配置して形成する伝票用紙が設けられ、少なくともその配達票はタックシート表面から剥離可能な構造を有している。
【０００４】
１パート配送伝票は、上記のように一枚の伝票用紙上に配達票と貼付票が設けられているので、コンピュータで管理されている配送情報に基づき、お届け先情報、依頼元情報、その他バーコード等の管理用の情報などを、プリンタで配送伝票上の所定箇所に高速で印字することが可能である。その使用に当たっては、事前に所定事項がプリンタで印字された１パート配送伝票を用意し、当該１パート配送伝票を構成するタックシート裏面の剥離紙を剥がし、粘着剤層を介して所定の配送物に貼付する。
【０００５】
配送物が贈答品のように包装紙により包まれている場合は、配送伝票は、粘着剤層を介して包装紙上に貼付される。このような場合に、コスト削減と環境保護を両立するため、簡易包装用の配送伝票が開発されている（特許文献１、２参照）。
【先行技術文献】
【特許文献】
【０００６】
【特許文献１】特開２０１１−９８５０２号公報
【特許文献２】特開２０１２−３３０７４号公報
【発明の概要】
【発明が解決しようとする課題】
【０００７】
しかしながら、上記特許文献１に記載の配送伝票は、包装紙に包んだ直後の状態では、包装紙の絵柄等の商品供給元を示す情報が外部から確認できないという問題がある。また、特許文献２に記載の配送伝票は、包装紙の上にシート部材と控え伝票が貼付されているため、レーザープリンタ等のプリンタで印字を行うための印字面が平らにならないという問題がある。
【０００８】
そこで、本発明は、包んだ直後から表面の商品供給元を示す情報が視認可能であるとともに、印字面が平らに形成された包装紙一体型配送伝票を提供することを課題とする。
【課題を解決するための手段】
【０００９】
上記課題を解決するため、請求項１の包装紙一体型配送伝票は、少なくとも配達票と貼付票を包装紙と一体化した配送伝票であって、表面側に所定の情報がそれぞれ印刷された配達票と貼付票を有し、前記配達票と貼付票以外の部分に、商品供給元を示す情報を表示するための領域を有する伝票基材と、前記伝票基材の裏面側に前記配達票を覆うように貼り合わされ、前記伝票基材より面積の小さい支持基材と、を有し、前記伝票基材と前記支持基材は、前記配達票部分においては、剥離可能な擬似接着層を介して接着され、前記配達票以外の部分においては、剥離困難な接着剤層を介して接着されていることを特徴とする。
【００１０】
請求項１の包装紙一体型配送伝票によれば、表面側に所定の情報がそれぞれ印刷された配達票と貼付票を有し、配達票と貼付票以外の部分に、商品供給元を示す情報を表示するための領域を有する伝票基材と、伝票基材の裏面側に配達票を覆うように貼り合わされ、伝票基材より面積の小さい支持基材と、を有し、伝票基材と支持基材は、配達票部分においては、剥離可能な擬似接着層を介して接着され、配達票以外の部分においては、剥離困難な接着剤層を介して接着されているので、包装紙の役割も果たす伝票基材に包んだ直後から表面の商品供給元を示す情報が視認可能であるとともに、印字面を平らに形成することが可能となる。
【００１１】
また、請求項２の包装紙一体型配送伝票は、前記商品供給元を示す情報を表示するための領域には、商品供給元を示す情報が印刷されていることを特徴とする。請求項２の包装紙一体型配送伝票によれば、配達票と貼付票以外の部分に、商品供給元を示す情報が印刷されているので、百貨店等の商品供給元を示す絵柄等の情報を有する包装紙と伝票の役割を１つの伝票で果たすことが可能となる。
【００１２】
また、請求項３の包装紙一体型配送伝票は、前記支持基材は、さらに前記貼付票を覆うように貼り合わされていることを特徴とする。請求項３の包装紙一体型配送伝票によれば、支持基材が配達票に加えて貼付票も覆うように貼り合わされているので、コスト削減と環境保護を両立しつつ、貼付票の強度を補強することが可能となる。
【００１３】
また、請求項４の包装紙一体型配送伝票は、前記支持基材は、前記伝票基材の天地方向に渡って貼り合わされていることを特徴とする。請求項４の包装紙一体型配送伝票によれば、支持基材が、伝票基材の天地方向に渡って貼り合わされているので、コスト削減と環境保護を両立しつつ、貼付票の強度を補強することが可能となる。
【００１４】
また、請求項５の包装紙一体型配送伝票は、前記支持基材は、前記伝票基材と同一サイズであることを特徴とする。請求項５の包装紙一体型配送伝票によれば、支持基材が同一サイズであるので、２つの基材の位置合わせが容易になり、効率的に製造することが可能となる。
【００１５】
また、請求項６の包装紙一体型配送伝票は、少なくとも配達票と貼付票を包装紙と一体化した配送伝票であって、表面側に所定の情報がそれぞれ印刷された配達票と貼付票を有する伝票基材と、前記伝票基材と重ねて貼り合わされ、前記伝票基材より面積が大きく、前記伝票基材と重ならない部分に、商品供給元を示す情報を表示するための領域を有する支持基材と、を有し、前記伝票基材と前記支持基材は、前記配達票部分においては、剥離可能な擬似接着層を介して接着され、前記配達票以外の部分においては、剥離困難な接着剤層を介して接着されていることを特徴とする。
【００１６】
請求項６の包装紙一体型配送伝票によれば、少なくとも表面側に所定の情報がそれぞれ印刷された配達票と貼付票を有する伝票基材と、伝票基材と重ねて貼り合わされ、伝票基材より面積が大きく、伝票基材と重ならない部分に、商品供給元を示す情報を表示するための領域を有する支持基材と、を有し、伝票基材と支持基材は、配達票部分においては、剥離可能な擬似接着層を介して接着され、配達票以外の部分においては、剥離困難な接着剤層を介して接着されているので、包装紙の役割も果たす支持基材に包んだ直後から表面の商品供給元を示す情報が視認可能であるとともに、配達票と貼付票を含む印字面を平らに形成することが可能となる。
【００１７】
また、請求項７の包装紙一体型配送伝票は、前記伝票基材には、前記配達票を囲む部分に、前記伝票基材を貫通するハーフカットが形成されていることを特徴とする。請求項７の包装紙一体型配送伝票によれば、伝票基材には、配達票を囲む部分に、伝票基材を貫通するハーフカットが形成されているので、剥離が必要とされる唯一の部分である配達票を確実に剥離することが可能となる。
【発明の効果】
【００１８】
本発明によれば、包んだ直後から表面の商品供給元を示す情報が視認可能であるとともに、印字面が平らに形成された包装紙一体型配送伝票を提供することが可能となる。
【図面の簡単な説明】
【００１９】
【図１】本発明第１の実施形態に係る包装紙一体型配送伝票を示す図である。
【図２】包装紙一体型配送伝票を表面側から見た場合における、接着剤層４、目止め層５、支持基材６の形成位置を示した図である。
【図３】包装紙一体型配送伝票から配達票２ａを剥離した状態を示す図である。
【図４】接着剤層４、目止め層５、支持基材６の形成位置を変更した際の、包装紙一体型配送伝票を表面側から見た場合における、接着剤層４、目止め層５、支持基材６の形成位置を示した図である。
【図５】伝票基材２と支持基材６のサイズを同一とした際の、包装紙一体型配送伝票を表面側から見た場合における、接着剤層４、目止め層５、支持基材６の形成位置を示した図である。
【図６】包装紙一体型配送伝票の使用例を示す図である。
【図７】本発明第２の実施形態に係る包装紙一体型配送伝票を示す図である。
【発明を実施するための形態】
【００２０】
以下、本発明の好適な実施形態について、図面を参照して詳細に説明する。
＜１．第１の実施形態＞
図１は、本発明第１の実施形態に係る包装紙一体型配送伝票を示す図である。このうち、図１（ａ）は表面側の平面図、図１（ｂ）は図１（ａ）におけるＡ−Ａに対応する断面図である。図１において表現された各層の厚みの比率、各層の厚みと平面図の面積との比率については、図示の都合上、実際のものとは異なっている。
【００２１】
図１に示すように、本実施形態に係る配送伝票は、表面に配送情報記入部（図示省略）が印刷された配達票２ａと、表面に配送情報記入部（図示省略）が印刷された貼付票２ｂが横方向（図面左右方向）に隣接して配置された伝票基材２が、最上層（図１（ａ）において手前側、図１（ｂ）において上端）に設けられている。この伝票基材２は、配達票２ａを囲む矩形状に形成されたハーフカット７により配達票２ａを分離可能に形成されている。ハーフカット７は、図１（ｂ）に示すように、伝票基材２のみを貫通した状態で形成されている。貼付票２ｂの周囲には、貼付票２ｂの範囲を示すための矩形を構成する線分が印刷されている。
【００２２】
また、図１（ａ）においては、伝票基材２の配達票２ａと貼付票２ｂ以外の部分は、商品供給元を示す情報を表示するための領域となっている。図１（ａ）の例では、商品供給元を示す情報を表示するための領域は無地の状態（白紙の状態）となっているが、この商品供給元を示す情報を表示するための領域には、商品供給元を示す情報が印刷される。商品供給元とは、百貨店等の商品販売元や、メーカー等の商品製造元、商品供給に関わる者を意味する。商品供給元を示す情報としては、文字、ロゴ、絵柄等の様々な形態を用いることができる。
【００２３】
図１（ｂ）のＡ−Ａ断面図に示すように、配達票２ａ（伝票基材２）の下層（図面下方向）には、剥離層３、接着剤層４を介して、目止め層５、支持基材６が重ね合わされている。なお、本明細書において「上層」「下層」とは、伝票基材２を最上層、支持基材６を最下層とした場合における各層の上下関係を相対的に示している。剥離層３と接着剤層４の２つの層により擬似的に接着し、剥離可能な擬似接着層を形成している。
【００２４】
また、図１（ｂ）のＡ−Ａ断面図に示すように、貼付票２ｂ（伝票基材２）の下層では、目止め層５、支持基材６の構成は、配達票２ａの下層と同じである。しかし、貼付票２ｂ（伝票基材２）の下層では、剥離層を有さず、強接着の接着剤層４が設けられている。強接着の接着剤層４により、貼付票２ｂは、支持基材６から剥離することが困難になっている。本実施形態では、配達票２ａの下層の接着剤層４と貼付票２ｂの下層の接着剤層４に用いられる接着剤として、同一のものを採用しているが、互いに異なるものを採用しても良い。
【００２５】
図１（ａ）に示した破線ｈａ、ｈｂは、伝票基材２の下層の接着剤層４、目止め層５、支持基材６の存在位置を示すためのものであり、実際の伝票基材２には施されていない。図１（ａ）に示した２ｕ、２ｓは、それぞれ伝票基材２の長手方向の２辺であり、２ｕが上辺、２ｓが下辺である。本実施形態では、接着剤層４、目止め層５、支持基材６は、伝票基材２の天地方向（図１（ａ）の上下方向）については、全体に渡って形成されている。すなわち、接着剤層４、目止め層５、支持基材６は、上辺２ｕ、下辺２ｓ、破線ｈａ、破線ｈｂの４辺で囲まれる矩形状の範囲全体に渡って形成されている。
【００２６】
図２は、包装紙一体型配送伝票１を表面側から見た場合における、接着剤層４、目止め層５、支持基材６の形成位置を示した図である。図２において、網掛けで示した範囲が、接着剤層４、目止め層５、支持基材６の形成位置である。図２に示すように、接着剤層４、目止め層５、支持基材６は、上辺２ｕ、下辺２ｓ、破線ｈａ、破線ｈｂの４辺で囲まれる矩形状の範囲全体に渡って形成されている。
【００２７】
図３は、包装紙一体型配送伝票１から配達票２ａを剥離した状態を示す図である。図３（ａ）は表側平面図、図３（ｂ）は図３（ａ）におけるＢ−Ｂに対応する断面図である。図３に示すように、配達票２ａは、剥離層３とともに、接着剤層４から分離して剥離される。配達票２ａの下層の支持基材６には、告知情報が印刷されている。告知情報は、商品供給元以外を示す情報である。図３の例では、告知情報として「○○運送」のように運送会社の案内が記載されている。接着剤層４および目止め層５は透明であるため、支持基材６に印刷された告知情報は、表面側（上層側）から視認することが可能となる。
【００２８】
図３に示したように、告知情報として商品供給元以外の会社の情報を記載しておくことができる。すなわち、伝票基材２の配達票２ａ、貼付票２ｂ以外の部分に商品供給元の情報（商品供給元のロゴ、絵柄等）を示し、配達票２ａの下層の支持基材６において、商品供給元以外の情報を示すことができる。
【００２９】
接着剤層４、目止め層５、支持基材６の形成範囲については、図４、図５に示すように変更することができる。図４の例では、接着剤層４、目止め層５、支持基材６は、いずれも破線ｈａ、ｈｂ、ｈｃと下辺２ｓに囲まれた範囲に形成される。図４（ａ）に示す包装紙一体型配送伝票１ａでは、配達票２ａと貼付票２ｂの下層を全て覆う範囲に、接着剤層４、目止め層５、支持基材６が形成されている。図４（ｂ）に示す包装紙一体型配送伝票１ｂでは、配達票２ａの下層を全て覆い、貼付票２ｂと重ならない範囲に、接着剤層４、目止め層５、支持基材６が形成されている。
【００３０】
図５に示す包装紙一体型配送伝票１ｃでは、伝票基材２の全範囲に渡って、接着剤層４、目止め層５、支持基材６が形成されている。この場合、伝票基材２と支持基材６のサイズは同一となる。サイズが同一とは、矩形状の伝票基材２と支持基材６の場合、その長辺の長さ、短辺の長さが同一であることを意味する。
【００３１】
＜２．包装紙一体型配送伝票の製造＞
まず、伝票基材２表面の配達票２ａ、貼付票２ｂ以外の部分に、必要に応じて商品供給元を示す情報を印刷する。商品供給元を示す情報の印刷は、オフセット印刷等の有版式の印刷法により行う。次に、伝票基材２表面の配達票２ａ、貼付票２ｂの部分に、配達票２ａ、貼付票２ｂとして必要な配送情報記入部を印刷する。配送情報記入部の印刷は、コンピュータからの印刷データを取得したプリンタによる無版式の印刷法で行われる。また、プリンタにより貼付票２ｂの範囲を示すための矩形を構成する線分が印刷される。次に、伝票基材２の下層側の面の配達票２ａの部分に剥離層３を形成する。剥離層３は、公知の印刷または塗工手法により剥離剤を塗布することにより形成される。
【００３２】
一方、支持基材６の上層側の面における配達票２ａと対応する位置に、告知情報を印刷する。告知情報は、上述のように、商品供給元以外を示す情報であり、例えば、配送を行う運送会社の名称等である。続いて、支持基材６の上層側の面に目止め層５を形成する。次に、接着剤により、伝票基材２と支持基材６を貼り合わせる。貼り合わせの際、伝票基材２の配達票２ａの部分と、支持基材６の告知情報が印刷された部分が一致するように位置合わせが行われる。伝票基材２と支持基材６の貼り合わせに用いられた接着剤は接着剤層４を形成する。伝票基材２と支持基材６を貼り合わせた後、伝票基材２の表面側からハーフカット加工を行い、ハーフカット７を形成する。
【００３３】
＜３．各層の組成＞
伝票基材２としては、充分な強度と印刷適性及び搬送適性を有するものであれば使用でき、例えば、上質紙、クラフト紙、複写用紙、グラシン紙、パーチメント紙、レーヨン紙、コート紙、合成紙、樹脂フィルムによりラミネートされた紙等の紙が好適に用いられるが、セロファン、延伸ポリプロピレン、ポリエチレンテレフタレート、延伸ポリスチレン、ポリ塩化ビニル等の樹脂フィルムであっても良い。伝票基材２の厚さは２０〜２００μｍ程度が好ましい。本実施形態では、伝票基材２に商品供給元を示す情報を印刷するため、有版式印刷である一般印刷適性を備えたものを用いている。また、伝票基材２に配達票２ａ、貼付票２ｂとして必要な情報をプリンタにより印刷するため、無版式印刷であるプリンタ印刷適性を備えたものを用いている。さらに、控票などを配送伝票の上に重ねた場合に、複写特性をもたせるために、ロイコ系染料などからなる感熱発色層を設けても良い。
【００３４】
支持基材６としては、伝票基材２と同様の紙や樹脂フィルムが用いられる。本実施形態では、支持基材６に告知情報を、有版式印刷またはプリンタによる無版式印刷で印刷するため、これらの印刷適性を備えたものを用いている。
【００３５】
上記剥離層３、接着剤層４、目止め層５は、本発明に係る配送伝票に適したものであれば、その組成については特に限定されるものではないが、好ましい例を以下に列挙する。
【００３６】
剥離層３としては、配達票２ａが支持基材６から容易に剥離できるような接着性の低いものを使用することが好ましい。剥離層の形成には、例えば、オフセット印刷用の紫外線硬化型インキにシリコーンゴムを添加したものや、シリコーンアクリレートを添加したものを使用する。通常の熱硬化型剥離インキを使用することもできる。また、剥離ニスを使用することも可能である。さらに、必要に応じて、酸化防止剤、熱安定剤、紫外線吸収剤、スリップ剤、帯電防止剤、防曇剤、着色剤、フィラー等が添加されていても良い。剥離層を形成するための塗布量・塗布厚は特に限定されないが、好ましくは、塗布厚は０．１〜１０μｍである。
【００３７】
接着剤層４における接着剤としては、例えば、ウレタン系、アクリル系、酢酸ビニル系、エチレン−酢酸ビニル共重合体、塩化ビニル−酢酸ビニル共重合体、セルロース樹脂等の熱可塑性樹脂、またはこれらの混合物からなる樹脂を使用することができる。接着剤の塗布は、フレキソ法、グラビア法などの公知の印刷法又はコーティング法によって、厚み０．２〜５０μｍ程度に塗布し、貼り合わせ後に、必要に応じて乾燥させる。剥離層３が形成されている部分においては、剥離層３の厚み分だけ、他の部分よりも薄く接着剤が塗布される。伝票基材２と支持基材６は、接着剤（又は樹脂）が乾燥していない状態で貼り合わせるウェット又はセミウェットラミネート方式、熱圧着方式や感圧方式によって貼り合わせる。
【００３８】
目止め層５としては、支持基材６への接着剤の浸透を防止し、接着力を安定させるためのものであれば、公知の様々なものを用いることができる。例えば、公知の塩化ビニル系樹脂、アクリル系樹脂、ウレタン系樹脂、ポリエステル系樹脂、ポリアミド系樹脂、セルロース誘導体等の熱可塑性樹脂、熱硬化性樹脂、反応型樹脂やこれらの混合物が使用できる。必要に応じて添加剤を加え、公知の印刷法又はコーティング法によって塗布する。
【００３９】
＜４．包装紙一体型配送伝票の使用例＞
次に、本実施形態に係る包装紙一体型配送伝票の使用例について説明する。図６は、包装紙一体型配送伝票の使用例を示す図である。図６に示すように、包装紙一体型配送伝票１は、簡易包装型であるため、配送物Ｎの表面を覆って両側面に粘着テープ等で貼り付ける。配送後、配達票２ａは、包装紙一体型配送伝票１から剥離される。上述のように、配達票２ａを剥離した後、配達票２ａが存在した位置の下層には告知情報を確認することができる。
【００４０】
＜５．第２の実施形態＞
次に、第２の実施形態について説明する。
図７は、本発明第２の実施形態に係る包装紙一体型配送伝票を示す図である。このうち、図７（ａ）は表面側の平面図、図７（ｂ）は図７（ａ）におけるＣ−Ｃに対応する断面図である。
【００４１】
図７に示すように、本実施形態に係る配送伝票は、表面に配送情報記入部（図示省略）が印刷された配達票１２ａと、表面に配送情報記入部（図示省略）が印刷された貼付票１２ｂが横方向（図面左右方向）に隣接して配置された伝票基材１２が、最上層（図１（ａ）において手前側、図１（ｂ）におい上左端）に設けられている。この伝票基材１２は、配達票１２ａを囲む矩形状に形成されたハーフカット１７により配達票１２ａを分離可能に形成されている。ハーフカット１７は、図７（ｂ）に示すように、伝票基材１２のみを貫通した状態で形成されている。貼付票１２ｂの周囲には、貼付票１２ｂの範囲を示すための矩形を構成する線分が印刷されている。
【００４２】
図７（ｂ）のＣ−Ｃ断面図に示すように、配達票１２ａ（伝票基材１２）の下層（図面下方向）には、剥離層１３、接着剤層１４を介して、目止め層１５、支持基材１６が重ね合わされている。剥離層１３と接着剤層１４の２つの層により擬似的に接着し、剥離可能な擬似接着層を形成している。
【００４３】
また、図７（ｂ）のＣ−Ｃ断面図に示すように、貼付票１２ｂ（伝票基材１２）の下層では、目止め層１５、支持基材１６の構成は、配達票１２ａの下層と同じである。しかし、貼付票１２ｂ（伝票基材１２）の下層では、剥離層を有さず、強接着の接着剤層４のみが設けられている。強接着の接着剤層４により、貼付票１２ｂは、支持基材１６から剥離することが困難になっている。本実施形態では、配達票１２ａの下層の接着剤層１４と貼付票１２ｂの下層の接着剤層１４に用いられる接着剤として、同一のものを採用しているが、互いに異なるものを採用しても良い。
【００４４】
第１の実施形態との相違は、第１の実施形態では、伝票基材２の面積が支持基材６の面積より大きいか、あるいは同一であって、伝票基材２に商品供給元を示す情報を表示するための領域を有しているのに対して、第２の実施形態では、支持基材１６の面積が伝票基材１２の面積より大きく、支持基材１６に商品供給元を示す情報を表示するための領域を有している点である。そのため、第２の実施形態では、支持基材１６上の、伝票基材１２により覆われない位置に、商品供給元を示す情報を印刷しておくことにより、包装紙一体型配送伝票に包んだ直後から表面の商品供給元を示す情報が視認可能となる。
【００４５】
第２の実施形態における伝票基材１２、剥離層１３、接着剤層１４、目止め層１５、支持基材１６の各層の組成は、第１の実施形態と同様の組成により実現される。
【００４６】
以上、本発明の好適な実施形態について説明したが、本発明は上記実施形態に限定されず、種々の変形が可能である。例えば、上記実施形態では、配達票の下層の擬似接着層を、剥離層と接着剤層の２層構造としたが、擬似接着力を有する１層構造の擬似接着層としてもよい。
【００４７】
また、上記実施形態では、伝票基材２の表面に配達票２ａと貼付票２ｂのみが設けられたものを示したが、配達票２ａと貼付票２ｂに加えて、さらに店舗控え等を設けるようにしてもよい。店舗控えは、剥離片とするため、配達票２ａと同様、その下層側においては、擬似接着層により接着を行う。
【００４８】
また、上記実施形態では、配達票２ａ、貼付票２ｂにおける配送情報記入部の印刷を、プリンタによる無版式印刷で行ったが、オフセット印刷等の有版式印刷で行うようにしてもよい。
【００４９】
また、上記第１の実施形態では、伝票基材２表面の配達票２ａ、貼付票２ｂ以外の部分、第２の実施形態では、支持基材１６表面の、伝票基材１２により覆われない部分に、オフセット印刷等により必要に応じて商品供給元を示す情報を印刷しておくようにしたが、何も印刷せず、無地の状態（白紙の状態）としておいてもよい。この場合、商品の販売元がカラープリンタを用いて、無地状態である商品供給元を示す情報を表示するための領域に商品供給元を示す情報を印刷した後、商品に貼付する。
【符号の説明】
【００５０】
１、１ａ、１ｂ、１ｃ、１ｄ・・・包装紙一体型配送伝票
２、１２・・・伝票基材
２ａ、１２ａ・・・配達票
２ｂ、１２ｂ・・・貼付票
３、１３・・・剥離層
４、１４・・・接着剤層
５、１５・・・目止め層
６、１６・・・支持基材
７、１７・・・ハーフカット
【図１】
2015058584.tif 000003
【図２】
2015058584.tif 000004
【図３】
2015058584.tif 000005
【図４】
2015058584.tif 000006
【図５】
2015058584.tif 000007
【図６】
2015058584.tif 000008
【図７】
2015058584.tif 000009